(57)【要約】【課題】本発明は、排気ファンを有するプロジェクタ装置に関するものであり、デザインの自由度を損なうことなく、低コストで製造が可能なプロジェクタ装置を提供するものである。【解決手段】本発明は、請求項１に記載するように、本体ケースと、この本体ケースの前面から露出するように設けられた投影レンズと、前記本体ケースに設けられた排気開口とを有するプロジェクタ装置において、別体で構成された、遮光機能を有する導風体と、排気ファンと、前記導風体及び前記排気ファンとが組み込まれる枠体とからなる廃棄ファンユニットが、前記排気開口に対向して設けられることを特徴とするプロジェクタ装置である。【選択図】    図１
2006079032.tif 000002
【特許請求の範囲】
【請求項１】
本体ケースと、この本体ケースの前面から露出するように設けられた投影レンズと、前記本体ケースに設けられた排気開口とを有するプロジェクタ装置において、別体で構成された、遮光機能を有する導風体と、排気ファンと、前記導風体及び前記排気ファンとが組み込まれる枠体とからなる廃棄ファンユニットが、前記排気開口に対向して設けられることを特徴とするプロジェクタ装置。
【請求項２】
前記排気ファンは、複数の大きさの異なるファンからなり、前記枠体に組み込まれた状態で、排気面が段差の無い同一の面を構成することを特徴とする請求項１項記載のプロジェクタ装置。
【請求項３】
前記導風体は、上断面が略くの字形状をなし、縦方向に延びる板が、横方向に複数整列した構造を成すことを特徴とする請求項１項記載のプロジェクタ装置。
【請求項４】
前記枠体は、高さが一定であり、奥行き方向に段差形状を有する枠体からなることを特徴とする請求項１項記載のプロジェクタ装置。
【請求項５】
本体排気開口と、排気ファンユニットとの間に、排気風を、投影レンズから遠ざける方向に偏向するための傾斜板を有する第２の導風体を有し、前記排気ファンユニットの導風体は、排気風を、投影レンズに近づける方向に偏向するための傾斜板を有していることを特徴とする請求項１項記載のプロジェクタ装置。
【発明の詳細な説明】
【技術分野】
【０００１】本発明は、プロジェクタ装置、特に製造コストが低減されたプロジェクタに関するものである。
【背景技術】
【０００２】通常、プロジェクタ装置は、高出力の光源を用いるため、冷却ファンを用い冷却しながら動作させる。
このため、冷却後の排気風を排出する必要があるが、この排気風は、操作者が位置することがない、プロジェクタの前面から排気することが望ましい。
しかしながら、この排気が、投影光の通過する領域に排気されると、投影画像のゆらぎを生じることとなる。
この問題を解決するためには、排気風を投影領域から遠ざける方向に排気することで解決しているものなどがある。
従来は、プロジェクタ装置の機種毎に、排気構造を設計し直していた。特に、近年は、プロジェクタ本体から光源の光が漏れることのないように設計することも重要となっている。【０００３】
【特許文献１】特開平１０−１８６５４６号
【特許文献２】特開平１０−９０７９４号
【特許文献３】特開２００２−２４４２１３号
【発明の開示】
【発明が解決しようとする課題】
【０００４】上記の特許文献１では、排気ファンを傾斜させて、排気風を投影領域から遠ざける方向に排気する技術が開示されている。
上記の特許文献２では、ケースの排気口のスリット形状を傾斜させて、排気風を投影領域から遠ざける方向に排気する技術が開示されている。上記の特許文献３では、従来の排気口の形状として、ケースの排気口として、縦方向スリットが複数設けられている技術が開示されている。
尚、この特許文献３では、排気口が移動可能に設けられている。
しかしながら、このような構造は、プロジェクタ装置本体のデザイン設計の制約となる。【０００５】例えば、引用文献１のようにファンを傾斜させて配置すると、デッドスペースが生じ、プロジェクタ装置本体は必要以上に大きくなって、プロジェクタ装置本体の収納効率が落ちてしまう。
また、特許文献２及び、３のように排気口を縦長に設けると、横長の本体に縦の短いスリットを多数形成するため、スマートさが失われる。
さらに、そのスリットの形状を、排気を斜め方向に偏向させるため、斜めに傾斜して配置すると、デザイン的な美しさが損なわれる。
また、図２に示した、樹脂材からなるフロントケース６の横長の排気スリット７に、排気風を偏向させる縦長のルーバー１０を短冊状に一体成型した、本願出願人の従来のプロジェクタ装置に対しては、格子状の開口は見栄えが良くないとの意見があった。【０００６】本発明では、このような問題を解決するために創作されたものであり、装置の本体のデザイン設計の自由度を損なうことなく、かつ汎用性が高く、製造コストを低減することが可能なプロジェクタ装置を提供するものである。
【課題を解決するための手段】
【０００７】上記課題を解決するため、本発明は、請求項１に記載するように、本体ケースと、この本体ケースの前面から露出するように設けられた投影レンズと、前記本体ケースに設けられた排気開口とを有するプロジェクタ装置において、別体で構成された、遮光機能を有する導風体と、排気ファンと、前記導風体及び前記排気ファンとが組み込まれる枠体とからなる廃棄ファンユニットが、前記排気開口に対向して設けられることを特徴とするプロジェクタ装置である。【０００８】また、請求項２に記載するように、前記排気ファンは、複数の大きさの異なるファンからなり、前記枠体に組み込まれた状態で、排気面が段差の無い同一の面を構成することを特徴としている。
【発明の効果】
【０００９】本発明によれば、光漏れが改善され、かつユニット化された排気ファンを用いることにより、製造コストを低減することが可能となる。
また、排気の放出方向の面を段差のない平面とし、吸気方向の面を光学機器に合わせた形状とすることで、本体のデザイン設計に制限を与えることがない。
【発明を実施するための最良の形態】
【００１０】以下、本発明を実施するための最良の形態について、図面を参照して詳細に説明する。
【実施例】
【００１１】以下、図に沿って本発明の一実施例を説明する。図２は本発明の一実施例を示す斜視図であり、本体ケースからフロントケースを外した構造を示している。
本体ケース１の内部には、図示しない光源や光学部品、電源基板、画像データの入出力や投影画像形成などを制御するメイン回路基板、更には冷却用のファンなどが収納されている。
２は投影レンズであり、影像を拡大して投影するため、本体ケース１の前面から露出して設けられている。
３は排気用のファンユニットであり、本体ケースの前面に、投影レンズから離間した位置に、設けられている。
本排気ファンユニット３は、後段にて、図１を用いて詳細に説明する。【００１２】４はフロントケースであり、排気用の横長のスリット５が複数、上下方向に整列して設けられている。
更に、フロントケース４の裏側には、図示しないが、排気ファン３の表面に設けられたスポンジ状の緩衝材により弾力的に、フロントケース４に押圧され保持されるため、装置本体の振動などが生じても、騒音を発するということは防止される。【００１３】またフロントケース４には、投影レンズ２が露出するように、投影レンズ配置部８が設けられている。
尚、この投影レンズ配置部６の上部には切り欠き部を有しているが、この切り欠き部からは、投影レンズ２の側面が露出され、この投影レンズ２の側面を回転させることで、投影レンズのピントを合わせたり、投影画像の拡大或いは縮小を行うことが可能となる。【００１４】７は、操作部であり、プロジェクタ装置の動作のためのメインスイッチや、投影画像の位置修正などを行うためのスイッチなどが配置されている。
８は、光源配置部を表している。この部分が最も熱を放出するため、冷却風により、冷却され、その加熱された排気風が、前述の排気ファンユニット３によって、排気用スリット５を通して、本体１の外部に排気される。【００１５】本体背面には、図示しないが、投影画像の入出力端子や、カードスロット、また、リモコンからの操作指令信号を受信する赤外線受光部などが設けられている。
本体側面には、冷却風取り込み用の開口部が設けられている。
また、本体底面には、光源ユニットの出し入れを行う蓋や、上下の投影位置を調節するための脚部が設けられている。【００１６】続いて、図１に排気ファンユニット３の詳細を示す。
１０は、樹脂材からなる導風体であり、上から見た形状が略くの字状で、下に板状に延びたルーバー体１１が複数設けられている。
これは中央で水平な連結部１２で接続されている。
この導風体１０は、図で理解できるように、上下に分割される金型で製造が可能な、簡単な構造となっている。
１３は、排気ファンであり、高さが同一で、幅と奥行きが異なる２つのファン１３ａ、１３ｂによって構成されている。
１４は、枠体であり、導風体１０と排気ファン１３は、枠体１４によって一体に構成される。【００１７】尚、導風体１０は、本体内の光源や光学部品から離間して、かつデッドスペースが生じないように、段差を設けてある。
また、大きさの異なる排気ファン１３ａ、１３ｂを用いているが、これは、導風体の段差に対応し、かつ、排気風が放出される前面に段差が発生せず、前面が同一面となるようにしたものである。
大きいファンは、光源からの熱を排気し、小さいファンは、光学部品からの熱を排気するために用いられる。
尚、排気ファンの前面の４隅には、固定用のねじ穴等が設けられており、枠体の４隅にねじ止めされる。【００１８】別体で製造された導風体１０と排気ファン１３は、枠体１４によって一体に構成されるため、導風体１０の製造が容易となり、かつプロジェクタ装置としての組立て工程も容易となる。
また、排気機能と遮光機能を一体化したユニットを用いるため、取扱いが容易であり、本体装置のデザイン設計上の制約となることがない。【００１９】第２の実施例を図３に示す。
これは、前述のくの字形状のルーバー体１１を分離して、一方向に傾斜する形状のルーバー体のみからなる導風体１０を排気ファンユニットの枠体１４に収納し、他方に傾斜する形状のルーバー体からなる第２の導風体１５を別ユニットとして、排気ファンユニットと、フロントケースとの間に配置するものである。
尚、第２の導風体１５のルーバー体１６は、排気風を、プロジェクタ装置の投影レンズから遠ざける方向に放出するように傾斜された複数の傾斜板（フィン）で構成され、排気ファンユニットに収納される導風体のルーバー体は、プロジェクタ装置の投影レンズに近づける方向に放出するように、傾斜された複数の傾斜板（フィン）で構成されている。
これは、排気風による投影画像のゆらぎを防止すると共に、完全な遮光を行うためである。
ルーバー体１１と第２のルーバー体１６とが同一方向に傾斜した傾斜板（フィン）である場合、その傾斜方向に光が漏れることが確認された。このため、互いに逆の方向に傾斜された傾斜板（フィン）のよって構成されている。
この構造によって、完全な遮光が可能となる。【００２０】本実施例の、排気ファンユニットに収納される導風体１０では、ルーバー体１１の連結部１２は、ルーバー体１１の上下両端に設けられている。これは、第１の実施例におけるルーバー体１１は、くの字形状のため、上下方向に分割した金型を用いる必要があったため、連結部１２をルーバー体１１の中央に設けなければならなかったのに対し、本実施例のルーバー体１１は、くの字ではなく１方向に傾斜しているため、この傾斜方向に分割する金型で、導風体１０を製造できるからである。【００２１】本発明は、上述の実施例に限定されるものではなく、特に、排気ファンユニットの材質や形状、ルーバー体１１の形状、数、構造などは限定されない。例えば、排気ファンは１つ、或いは同一形状のものを複数用いても良い。
また、プロジェクタ装置の大きさや、投影レンズと廃棄開口との離間距離に応じて、ルーバー体の傾斜角度を、例えば９０度から１８０度の範囲で最適な値とするのがよい。
更に、フロントケースの構造や、スリット開口の形状も、本実施例に限定されるものではない。
【産業上の利用可能性】
【００２２】本発明は、排気ファンを用いる液晶方式プロジェクタ、或いはデジタルマイクロミラー方式プロジェクタなどに用いることが可能である。
【図面の簡単な説明】
【００２３】
【図１】図１は、本発明の実施例の排気ファンユニットの構成を示す分解斜視図である。
【図２】図２は、本発明の実施例の主要な構成を示す分解斜視図である。
【図３】図３は、本発明の第２の実施例の排気ファンユニットの構成を示す分解斜視図である。
【符号の説明】
【００２４】１：本体ケース
３：排気ファンユニット
４：フロントケース
１０：導風体
１３：排気ファン
１４：枠体
【図１】
2006079032.tif 000003
【図２】
2006079032.tif 000004
【図３】
2006079032.tif 000005